(57)【特許請求の範囲】
【請求項１】
筐体内に設けられた加熱室と、
前記加熱室の前面開口部に開閉可能に設けられた扉と、
前記扉の前面に設けられた操作時に押圧する正面視が略円形の可動部と、
前記可動部の外周に配置され光を透過させる略リング状の発光部と、
前記可動部と前記発光部とが取り付けられたハウジングと、
前記可動部に対向する前記ハウジングに形成した光拡散部と、
前記扉内に設けられた回路基板と、
前記回路基板に取り付けられたＬＥＤとスイッチと、を備え、
前記スイッチは、前記可動部を押すことにより接点を閉じるよう配置され、
前記ＬＥＤは前記可動部を前記ハウジング方向に投影した面の略中心部でかつ１か所に集められて前記回路基板に取り付けられており、
前記光拡散部は、正面視における断面が前記略中心部を中心とした略円形であり、前記可動部に向かってラッパ状に広がるように形成されており、
前記ＬＥＤが発光時、前記ＬＥＤからの光は、前記可動部の背面と前記光拡散部との間で反射を繰り返して広がり、前記発光部を透過して、前記可動部の前面を照らす加熱調理器。
【請求項２】
前記可動部の背面と前記光拡散部の前面とは、光を反射し易い色で調色成形されている請求項１に記載の加熱調理器。
【請求項３】
前記スイッチは、前記可動部を前記ハウジング方向に投影した面の略中心部から外れた位置、かつ、前記可動部を前記ハウジング方向に投影した面内の位置に１つだけ配置した請求項１または２に記載の加熱調理器。
【請求項４】
前記ＬＥＤは、正面視において、前記前面開口部の開口内に配置されている、請求項１〜３に記載の加熱調理器。
【発明の詳細な説明】
【技術分野】
【０００１】
本発明は、例えば、高周波加熱機能や輻射加熱機能を備えた加熱調理器の操作装置に関するものである。
【背景技術】
【０００２】
従来の加熱調理器は、箱状の加熱調理器の筐体内部に、被加熱物を収容する加熱室が、設けられている。加熱室は、前面に被加熱物を出し入れするための前面開口部が設けられている。この前面開口部には、扉が、下部を軸支され、縦方向に開閉可能に取り付けられている。
【０００３】
加熱調理器の前面開口部の隣には、操作部が設けられている。この操作部には、スタートキーなどの複数の操作キーと、液晶ディスプレイやＬＥＤ（発光ダイオード）などの表示部が設けられ、加熱制御に関連する条件の設定、指示を操作キーで行い、設定条件や調理経過などの情報が、表示部に表示されるようにしている（例えば、特許文献１参照）。
【先行技術文献】
【特許文献】
【０００４】
【特許文献１】特許第４３０９９０３号公報
【発明の概要】
【発明が解決しようとする課題】
【０００５】
しかしながら、前記従来の構成では、光源である発光ダイオードは、操作部の回路基板上に、操作キーに隣接して設けられた各発光部（発光必要領域）に対応して、分散して複数個設けられている。もし、発光させる発光部に対して、発光ダイオードを集中して設けると、点状の光源（点光源）になる。点光源の状態になると、発光ダイオードの光が広く分散しにくいため、発光部は、光源周辺では発光が強く、光源から離れた位置では、発光が弱くなる。したがって、広い発光部に対して、発光する範囲が狭く限られるため、意匠性が損なわれるという課題があった。
【０００６】
また、発光する範囲を広げるためには、光源と発光させる領域との間隔を離して、光を分散させなければならず、操作装置の奥行きを長くする必要があるので、操作装置の大型化、延いては、装置全体の大型化の原因になってしまうという課題があった。
【０００７】
本発明は前記従来の課題を解決するもので、点光源を使用しながら、奥行きを長くすることなく、発光部を広く発光させることができる加熱調理器を提供することを目的とする。
【課題を解決するための手段】
【０００８】
本発明の加熱調理器は、筐体内に設けられた加熱室と、前記加熱室の前面開口部に開閉可能に設けられた扉と、前記扉の前面に設けられた操作時に押圧する正面視が略円形の可動部と、前記可動部の外周に配置され光を透過させる略リング状の発光部と、前記可動部と前記発光部とが取り付けられたハウジングと、前記可動部に対向する前記ハウジングに形成した光拡散部と、前記扉内に設けられた回路基板と、前記回路基板に取り付けられたＬＥＤとスイッチと、を備え、前記スイッチは、前記可動部を押すことにより接点を閉じるよう配置され、前記ＬＥＤは前記可動部を前記ハウジング方向に投影した面の略中央部でかつ１か所に集められて前記回路基板に取り付けられており、前記光拡散部は、正面視における断面が前記略中心部を中心とした略円形であり、前記可動部に向かってラッパ状に広がるように形成されており、前記ＬＥＤが発光時、前記ＬＥＤからの光は、前記可動部の背面と前記光拡散部との間で反射を繰り返して広がり、前記発光部を透過して、前記
可動部の前面を照らすものである。
【０００９】
これにより、点光源を使用しながら、奥行きを長くすることなく、発光部を広く発光させることができる
【発明の効果】
【００１０】
本発明に係る加熱調理器によれば、操作のための可動部の視認性、操作性を向上できる。
【図面の簡単な説明】
【００１１】
【図１】本発明の実施の形態１における加熱調理器としてのオーブン機能付き電子レンジの正面図
【図２】図１に示した電子レンジの操作表示部の部分分解斜視図
【図３】図１に示した電子レンジのスタートキーの斜視図
【図４】図１に示した電子レンジの扉体の下部縦断面図
【発明を実施するための形態】
【００１２】
第１の発明は、筐体内に設けられた加熱室と、前記加熱室の前面開口部に開閉可能に設けられた扉と、前記扉の前面に設けられた操作時に押圧する正面視が略円形の可動部と、前記可動部の外周に配置され光を透過させる略リング状の発光部と、前記可動部と前記発光部とが取り付けられたハウジングと、前記可動部に対向する前記ハウジングに形成した光拡散部と、前記扉内に設けられた回路基板と、前記回路基板に取り付けられたＬＥＤとスイッチと、を備え、前記スイッチは、前記可動部を押すことにより接点を閉じるよう配置され、前記ＬＥＤは前記可動部を前記ハウジング方向に投影した面の略中央部でかつ１か所に集められて前記回路基板に取り付けられており、前記光拡散部は、正面視における断面が前記略中心部を中心とした略円形であり、前記可動部に向かってラッパ状に広がるように形成されており、前記ＬＥＤが発光時、前記ＬＥＤからの光は、前記可動部の背面と前記光拡散部との間で反射を繰り返して広がり、前記発光部を透過して、前記可動部の前面を照らすものである。
【００１４】
第２の発明は、第１の発明において、可動部の背面と光拡散部の前面とが、光を反射し易い色で調色成形されているものである。
【００１５】
第３の発明は、スイッチは、可動部をハウジング方向に投影した面の略中心部から外れた位置、かつ、前記可動部を前記ハウジング方向に投影した面内の位置に１つだけ配置したものである。
第４の発明は、ＬＥＤは、正面視において、前記前面開口部の開口内に配置されているものである。
【００１６】
以下、本発明の実施の形態について、図面を参照しながら説明する。なお、この実施の形態によって本発明が限定されるものではない。
【００１７】
（実施の形態１）
図１は本発明に係る実施の形態１における加熱調理器としてのオーブン機能付き電子レンジの正面図、図２は図１に示した電子レンジの操作表示部の部分分解斜視図、図３は図１に示した電子レンジのスタートキーの斜視図、図４は図１に示した電子レンジの扉体の下部縦断面図である。
【００１８】
第１の実施の形態に係る加熱調理器であるオーブン機能付き電子レンジ１（以下、電子レンジ１という）は、略直方体の筐体２内に加熱室３が設けられ、加熱室３は、筐体２の前面に、前面開口部４が設けられている。前面開口部４の全周には、フランジ５が形成されている。前面開口部４及びフランジ５に対向して、扉６が、取り付けられている。
【００１９】
なお、本実施の形態においては、加熱室３の前面開口部４側を前方とし、この前方より後方に向かって右側を右方とし、前方より筐体２に向かって左側を左方として、以下の説明を行う。
【００２０】
扉６は、筐体２に、水平方向に設けられた回動軸で枢支され、前面開口部４を開閉可能に、構成されている。扉６の上部に、ハンドル７が設けられており、電子レンジ１の使用者は、ハンドル７を手で握ることにより、扉６を上下方向に回動させ、開閉できる。
【００２１】
加熱室３の底面には、底板が設けられ、底板は、食品などの被加熱物を載置できる。
【００２２】
加熱室３の下方には、電気室８が、設けられている。電気室８には、マイクロ波を発振するマグネトロン（図示せず）と、このマグネトロンに電力を供給するマグネトロン駆動電源（図示せず）とが、設けられている。導波管は、マグネトロンで発生したマイクロ波を、加熱室３へ伝送する。
【００２３】
加熱室３の奥面の後方には、熱源であるコンベクションヒータ（図示せず）が配設されている。コンベクションヒータは、加熱室３の奥面の後方に隣接して形成された密閉空間内に、コイル状に巻いた状態で、配置されている。コンベクションヒータの中央には、循環ファンが設けられている。この循環ファンが回転駆動されることで、加熱室３の空気は、吸気孔から吸引され、コンベクションヒータによって加熱されて、排気孔から再び加熱室３へ戻る。これにより、被加熱物を均一に高温加熱する。
【００２４】
加熱室３の上面側には、熱源である上部ヒータ（図示せず）が、設けられている。この上部ヒータは、発熱することによって、加熱室３の被加熱物を輻射熱加熱し、食品の表面に焦げ目を付けることができる。
【００２５】
加熱室３の左側壁の外側面に、蒸気を発生させる蒸気発生部（図示せず）を備えている。加熱室３の下方には、加熱室３に送る蒸気を生成するための水タンク８が、抜き差し可能に、取り付けられている。水タンク８の水は、蒸気発生部に供給されて、蒸気となる。発生した蒸気は、蒸気発生部と加熱室３とを接続する蒸気パイプによって、加熱室３に供給される。
【００２６】
正面視した扉６の一方の側方の略長方形状の領域には、操作表示部９である、タッチ液晶パネル１０、戻るキー１１、取り消しキー１２、スタートキー１３が、配置されている。
【００２７】
略長方形状の領域の最上部には、タッチ液晶パネル１０が、配置されている。タッチ液晶パネル１０は、電子レンジ１の使用者が、調理に関する所定の操作入力するために使用する。タッチ液晶パネル１０の表面は、樹脂製薄板、例えば、ＰＭＭＡ（アクリル）樹脂製の厚み１．５ｍｍの可撓性を有する略長方形のシート状パネルで構成され、固定の文字と記号により、タッチ液晶パネル１０への操作入力の状態と、調理状況を表示する。タッチ液晶パネル１０の後方（筐体側）には、タッチ液晶パネル１０を駆動するための回路基板１４が、設けられている。
【００２８】
タッチ液晶パネル１０の下側領域には、戻るキー１１、取り消しキー１２が、左右に並べて配置されている。戻るキー１１、取り消しキー１２の下側の領域には、調理動作を開始させる、スタートキー１３が、取り付けられている。スタートキー１３は、使用者が押し込む可動部１５と、可動部１５の周囲に配置された発光部１６とが、取り付けられている。
【００２９】
この操作表示部９が取り付けられた略長方形状の領域は、この領域の断面を筐体２側へ投影した時、その大部分の領域が、前面開口部４に重なるよう、配置されている。
【００３０】
扉６は、透過窓２３と、ハンドル７とを有する。扉６の右側の側方に、タッチ液晶パネル１０が、取り付けられている。タッチ液晶パネル１０は、回路基板１４に実装されている。
【００３１】
複数部品を積層して組み立てられる操作表示部９は、タッチ液晶パネル１０、戻るキー１１、取り消しキー１２及びスタートキー１３を備えて、扉６の縦辺部に沿って設けられる。操作表示部９内には、上下方向に、風路（図示せず）が形成される。この風路は、回路基板１４の周囲に形成されている。風路は、外部へ通じており、風路内に外部空気が流入するように構成されている。
【００３２】
スタートキー１３は、可動部１５と発光部１６との後方に配置されたハウジング１７を備えている。ハウジング１７は、前方に向かって、ラッパ状に広がって形成されている。ハウジング１７の後方には、スイッチ１８と光源であるＬＥＤ１９（発光ダイオード）とが、配置されている。スイッチ１８と光源であるＬＥＤ１９は、回路基板１４に取り付けられている。
【００３３】
可動部１５とハウジング１７との間には、導光空間が設けられている。可動部１５の背面と、ハウジング１７の前面とは、光をより反射し易くするため、白色で調色成形している。なお、色は白色に限るものではなく、光を反射し易い色であれば、その他の色を用いてもよい。
【００３４】
また、発光部１６は、ハーフミラーメッキされている。発光部１６は、操作表示部９の表面に取り付けられたシート状パネル２０の後方に、配置されており、ＬＥＤ１９が非発光時には、メッキ色による光沢があり、ＬＥＤ１９が発光時には、発光領域が円形状にムラなく発光することにより、意匠性を高めることができる。
【００３５】
ＬＥＤ１９が発光すると、光は、可動部１５の背面とハウジング１７の前面のラッパ状に傾斜した光拡散面とで反射を繰り返し、導光空間を外側へ広がって、発光部１６へ進む。
【００３６】
次に、上記構成を有する電子レンジ１の動作を説明する。
【００３７】
使用者は、タッチ液晶パネル１０、戻るキー１１、取り消しキー１２を操作して、調理条件を入力、設定する。設定を完了すると、発光部１６が発光し、使用者が可動部１５を認識し易くして、操作することを促す。
【００３８】
また、電子レンジ１では、操作表示部９が、扉６の側方に配置されているので、従来構成のように、扉６の下部に配置されている場合に比較して、タッチ液晶パネル１０、戻るキー１１、取り消しキー１２及びスタートキー１３が高い位置に取り付けられることになり、視認性、操作性が向上する。特に、キッチンの下部に筐体２をビルトインした場合に、タッチ液晶パネル１０、戻るキー１１、取り消しキー１２及びスタートキー１３の操作のために屈む必要がなくなり、顕著な効果が得られる。
【００３９】
また、操作表示部９の幅方向縁部が、加熱室３に重なる位置なので、筐体２を大型化する必要がない。同一サイズの加熱室３において、仮に操作表示部９の幅方向縁部を加熱室３に重ねない位置とした場合、その分、操作表示部９が筐体２の縦辺部から外方へ突出す
る。この突出分に合わせて筐体２の壁厚を厚くすれば、筐体２が大型化する。本構成は、操作表示部９の一部分を加熱室３に重ねることで、このような筐体２の大型化を回避している。
【００４０】
このように構成されているのでＬＥＤ１９が発光すると、その光はまずＬＥＤ１９の対向する可動部１５の背面で反射され、対向する光拡散面２１で更に反射される。反射した光は、可動部１５の背面と光拡散面２１との間で反射を繰り返して広がり、発光部１６を透過して、可動部１５の前面を照らす。発光部１６に反射光が照射されるようにしたので、ＬＥＤ１９が点光源であっても、発光部１６は全域で端部まで発光することが可能となり、光を広げるための奥行きを大きくとらなくても、発光領域が円形状にムラなく、意匠性を高めることができる。
【００４１】
そして、可動部１５の背面側には突起部２２を形成し、回路基板１４上で、ＬＥＤの外側に設置された、機械接点式のスイッチ１８を押下できるように、構成されている。前述のように、可動部１５の背面側中心付近には光源が設けられ、可動部１５の中心付近の回路基板１４上に、ＬＥＤ１９を配置しているので、スイッチ１８を可動部１５の中心付近に配置が困難である。
【００４２】
そこで、可動部１５は、前面から見た時の加熱室３方向への投影面積が広いので、片方の端部側だけにスイッチ１８を配置すると操作性が悪くため、スイッチ１８がない側の可動部１５の背面側端部に突起部２２が設けることにより、スイッチ１８がない側については、可動部１５を先当たりさせ、スイッチ１８を押し込むようにすることですることで、可動部１５のどの箇所が押下された場合でも、操作性を悪化させることなく入力状態なる構成としたことにより、視認性が向上するとともに、スタートキー１３の可動部１５の配置の面積を極力広くする場合に、スペース効率のよい配置方法となる。
【００４３】
また、可動部１５の外側に設けられた発光部１６が点灯、あるいは点滅するため、操作が容易になるとともに、誤操作が起こりにくくすることができる。
【００４４】
以上のように構成したので、
【産業上の利用可能性】
【００４５】
本発明は、点光源を使用する機器の操作部に広く応用が可能である。
【符号の説明】
【００４６】
２  筐体
３  加熱室
４  前面開口部
６  扉
９  操作表示部
１５  可動部
１６  発光部
１７  ハウジング
１８  スイッチ
１９  ＬＥＤ
２１  光拡散面
【図１】
0006398083.tif 000002
【図２】
0006398083.tif 000003
【図３】
0006398083.tif 000004
【図４】
0006398083.tif 000005